(57)【要約】【課題】カラス除けネットを体裁良く収納できると共に展示機能にも優れた補助装置を提供する。【解決手段】補助装置１は、壁状体２と脚板３と連結板４とを有しており、写真や絵画等の表示体１７を展示できる表示部１８が設けられている。ネット１３は壁状体２の後ろの空間に隠れた状態で収納できる。ゴミ袋１５は壁状体２の前に置かれるので、ゴミを出している状態では表示体１７を視認できないが、壁状体２の前面がゴミで膨れている時間より露出している時間の方が圧倒的に長いので、壁状体２の広い面積を展示エリアとして利用できる。従って、コンパクトでありながら、高い表示機能を有する。棚１０に重しを載せることで、強風にも耐えることができる。【選択図】図３
2013224194.tif 000002
【特許請求の範囲】
【請求項１】
人目に触れる表示を設けているか又は設けることが可能で略鉛直姿勢又は傾斜姿勢に配置される壁状体の備えており、前記壁状体の前にゴミ袋が置かれるようになっている構成であって、前記壁状部の後ろ側に、前記ゴミ袋に被せるネットの収納部を設けている、
ゴミ集積場用補助装置。
【請求項２】
前記壁状体は板状で略鉛直姿勢に配置されており、前記壁状体に、当該壁状体の後ろ又は前若しくは前後両方に突出するように脚部を設けており、前記脚部又は壁状体に、重しを載置可能な棚手段を設けている、
請求項１に記載したゴミ集積場用補助装置。
【請求項３】
前記壁状体にはシート状の表示体を着脱可能に装着できる表示部が設けられており、前記表示部は、額縁状の枠と前記表示体が嵌まる窓穴とのうち少なくとも一方を備えている、
請求項１又は２に記載したゴミ集積場用補助装置。
【請求項４】
前記壁状体自体に、くり抜き又は彫り込み若しくは描画のうち１つ又は複数によって表示が施されている、
請求項１又は２に記載したゴミ集積場用補助装置。
【発明の詳細な説明】
【技術分野】
【０００１】
本願発明は、カラス除け等のネットとセットで使用されたゴミ集積場用補助装置（ごみステーション）に関するものである。
【背景技術】
【０００２】
ゴミ袋を地面にそのまま置くタイプのオープン方式のゴミ集積場では、カラス除けや猫除けのために、ゴミ袋をネットで覆うことが行われている。このネットは一般に単独で使用されているが、不使用時にはゴミ集積場に乱雑に置かれたままになっているため、非常に見苦しいのみならず通行の邪魔になるという問題がある。
【０００３】
そこで、不使用時のネットを美麗に収納・処理することが種々提案されている。例えば特許文献１には、下向きに開口した筒状のケースにネットを収納することが開示されており、特許文献２には、表示機能を有する下向き開口箱状のケースにネットを収納することが開示されており、特許文献３には、ネットを畳んで網状の壁に吊り下げることが開示されている。
【０００４】
なお、ネット自体の構造に関して述べると、ネットは一般に四角形の外観を呈しており、周囲に紐やロープからなる縁材を設けることで形状を保持しているが、外周の長さはできるだけ短くしつつゴミ袋の山を覆うように立体構造とすることも考えられている。その例として特許文献４では、ネットを巾着方式の袋状に構成することが開示されており、特許文献５には、ネットの周縁に飛び飛びの状態で重りを取り付けて投網のような構造にすることが開示されており、また、特許文献６には、ネットを膨らんだ状態に製造することが記載されている。
【先行技術文献】
【特許文献】
【０００５】
【特許文献１】特開２００７−９９５０２号公報
【特許文献２】特開２００２−８７５０８号公報
【特許文献３】特開２００１−１９１０４号公報
【特許文献４】登録実用新案第３１１７４３６号公報
【特許文献５】特開２０００−２５９０２号公報
【特許文献６】特開２００１−３１２０６号公報
【発明の概要】
【発明が解決しようとする課題】
【０００６】
特許文献１〜３のものはネットの収納機能を持つため、体裁が良いと共に人等の通行の邪魔にならない利点を有するが、巻き上げ方式であるため、構造が複雑化してコストが嵩むという問題がある。また、特許文献２，３にはネット収納装置に表示機能を持たせることが開示されており、このため、例えばゴミ収集日や住民へのお知らせなどの各種情報を表示できるが、ネット収納装置はできるだけコンパクトであるのが好ましいため表示部はあまり大きくすることはできず、このため表示機能が低いという問題もある。
【０００７】
本願発明はかかる現状を改善すべく成されたものであり、構造をごく簡単にしてネットの広げ作業・収納作業を簡単に行えると共にコストも抑制し、かつ、広い表示部を確保可能な補助装置を提供することを目的とするものである。
【０００８】
なお、ネット自体について述べると、特許文献４〜６のネットは立体構造になるが、いずれの特許文献のものも、ネットの周囲は簡単に変形する状態であるため、ネットを広げたり畳んだりするのが面倒であった。すなわち、ネットは変形自在であり、人が手で持った箇所しか持ち上がらないため、人はネットの縁に沿って移動しながらネットを広げたり畳んだりしなければならず、このため、ネットの広げ作業や畳み作業が非常に面倒である。
【０００９】
本願の実施形態はネットの改良も含んでおり、このネットに関する現状を改善することも発明の課題たり得るものである。
【課題を解決するための手段】
【００１０】
本願発明のゴミ集積場用補助装置はネットとセットで使用されるものであり、人目に触れる表示を設けているか又は設けることが可能で略鉛直姿勢又は傾斜姿勢に配置される壁状体の備えており、前記壁状体の前にゴミ袋が置かれるようになっている構成であって、前記壁状部の後ろ側に、前記ゴミ袋に被せるネットの収納部を設けている。
【００１１】
本願発明（請求項１の発明）は様々に展開できる。その例を請求項２〜４で提示している。このうち請求項２の発明は、請求項１において、前記壁状体は板状で略鉛直姿勢に配置されており、前記壁状体に、当該壁状体の後ろ又は前若しくは前後両方に突出するように脚部を設けており、前記脚部又は壁状体に、重しを載置可能な棚手段を設けている。
【００１２】
請求項３の発明は、請求項１又は２において、前記壁状体にはシート状の表示体を着脱可能に装着できる表示部が設けられており、前記表示部は、額縁状の枠と前記表示体が嵌まる窓穴とのうち少なくとも一方を備えている。なお、ゴミ収集日の表示のように長期にわたって変更がないものは、これを記載したパネルをビス止め等で固定することも可能である。
【００１３】
何らかの表示は壁状体そのものに形成することができるが、その具体的手段として請求項４の発明では、請求項１又は２において、前記壁状体自体に、くり抜き又は彫り込み若しくは描画のうち１つ又は複数によって表示が施されている。
【発明の効果】
【００１４】
本願発明では、ネットは壁状体の後ろに収納するだけであり、巻き上げ装置のような複雑な機構は必要ないため構造はシンプルであり、このため製造コストを抑制できると共に、ネットを取り出して広げたりネットを収納したりする作業もごく簡単に行える。また、壁状体の前面の略全体を表示部に利用可能であるため、壁状体に表示機能を持たせる場合、広い表示面積を確保することが可能になる。このため、大型化を防止しつつ高い表示機能を確保することが可能になる。
【００１５】
なお、ゴミの収集態様は自治体によって異なるが、一般に週に何回かしかなく、しかも、午前中に収集し終えるのが普通である。従って、壁状体の前面はゴミ袋で隠れている時間よりも人目に触れる状態に露出している時間が圧倒的に長い。このため、壁状体に各種の表示を設けた場合、表示機能は殆ど阻害されない。更に述べると、本願発明は、ゴミを出してから収集されるまでの僅かの時間は表示が隠れる点を甘受することで、装置を大型化することなく広い表示面積を確保可能にしたものであり、この点、従来の装置には見られない本願発明の特徴である。
【００１６】
壁状体を表示装置として機能させる場合、表示体の内容は任意に選択できるが、写真や絵画等の美術品を展示することで、街に潤いを持たせることができる。すなわち、美と対局にあるゴミの集積場所を美術館に変身させることができるのであり、この点、本願発明の有益な利用態様の１つである。
【００１７】
さて、ゴミ集積場用補助装置は道路の脇や建物の脇に設置されるものであり、強風のときには強い風圧を受けることがある。この点については、アンカーボルトで地面や建物等に固定すること裳可能であるが、これでは工事に手間と費用がかかると共に、移動させるのが厄介である。この点、請求項２の構成を採用すると、棚に重しを載せておくことで、強風で転倒したり飛ばされたりすることを防止できると共に、位置の変更も簡単に行える。
【００１８】
なお、重しとしては、コンクリートブロック、通常の石、水が入ったペットボトル、水が入ったポリタンク、砂が入ったペットボトル、砂や砂利が入った袋、金属の塊など、何でも利用できる。
【００１９】
請求項３の構成を採用すると、写真や絵画等の表示体を交換できるため、上記のように写真や絵画等を展示するにおいて重宝である。そして、額縁状の枠や窓穴を設けると表示体が引き立って高級感がかもしだされるため、写真や絵画のような美術的表示を展示する場合に好適である。また、ゴミの収集日の変更のような情報も簡単に表示できる。他方、請求項４のようにくり抜き等で壁状体自体に表示を施しておくと、それだけコストを抑制できる利点がある。
【図面の簡単な説明】
【００２０】
【図１】第１実施形態の使用状態の外観図で、（Ａ）はゴミを出してネットを広げた状態を前から見た図、（Ｂ）はネットを収納した状態を後ろから見た斜視図である。
【図２】（Ａ）は装置の外観を示す前からの斜視図、（Ｂ）は装置の分離斜視図である。
【図３】（Ａ）は棚を分離した斜視図、（Ｂ）は使用状態での概略縦断側面図である。
【図４】表示部の具体的構造を示す図で、（Ａ）は第１実施形態の縦断側面図、（Ｂ）は変形例の縦断側面図、（Ｃ）は（Ｂ）のＣ−Ｃ視断面図である。
【図５】第１ネットの部分平面図、（Ｂ）（Ｃ）は（Ａ）の部分拡大図である。
【図６】（Ａ）はネットの使用状態の正面図、（Ｂ）は不使用状態で吊支している状態の部分図である。
【図７】（Ａ）はネットの分離平面図、（Ｂ）は（Ａ）の部分拡大図である。
【図８】第２実施形態の分離斜視図である。
【図９】（Ａ）は補助装置の平面図、（Ｂ）は部分的な平断面図、（Ｃ）は（Ａ）のＣ−Ｃ視概略図、（Ｄ）はクリップ材の形態を示す図である。
【図１０】表示部の具体的構造を示す図で、（Ｂ）は第３実施形態の要部平断側面図、（Ｂ）は第４実施形態の要部平断側面図である。
【図１１】壁状体そのものに表示を施した第５実施形態の正面図である。
【図１２】第６実施形態の平面図である。
【図１３】（Ａ）は第７実施形態の斜視図、（Ｂ）は（Ａ）のＢ−Ｂ視部分断面図である。
【図１４】（Ａ）は第８実施形態の縦断側面図、（Ｂ）は（Ａ）のＢ−Ｂ視部分断面図である。
【図１５】第２ネットの分離平面図である。
【発明を実施するための形態】
【００２１】
次に、本願発明の実施形態を図面に基づいて説明する。まず、図１〜図４（Ａ）の第１実施形態から説明する。以下の実施形態では方向を特定するため「前後」「左右」の文言を使用するが、これは、図１に明示しているように、壁状体と対向した状態を正面視として前後・左右を規定している。
【００２２】
(1).第１実施形態の基本構造
第１実施形態の補助装置１は木製であり、図２に明瞭に示すように、正面視略横長の長方形で略鉛直姿勢に配置された壁状体２と、壁状体２の左右両側部に取り付けた前後長手の脚板３と、脚板３の後端部に取り付けた左右横長の連結板４とを主要部材として構成されている。壁状体２の上端の左右コーナー部は、面取り状にカットされている。また、左右の脚板３は前後に長い長方形であり、前後上端部のコーナーは面取り状にカットされている。連結板４は左右横長の長方形になっている。
【００２３】
脚板３及び連結板４は壁状体２と同様に略鉛直姿勢に配置されており、壁状体２と脚板３と、脚板３と連結板４とはそれぞれ嵌合溝５〜８を噛み合わせることで嵌め合わせている。すなわち、脚板３に形成した下向き嵌合溝５と脚板３の前部に形成した上向き嵌合溝６とを嵌め合わせることで、壁状体２と脚板３とを一体に保持し、脚板３の後部に形成した下向き嵌合溝７と連結板４の左右両端部に形成した上向き嵌合溝８とを嵌め合わせることで、左右脚板３と連結板４とを一体に保持している。
【００２４】
なお、部材同士の連結手段としては、例えばＬ型等の金具を使用してこれをビス止めすることも可能であるが、本実施形態のように嵌め合わせ方式を採用すると、組み立てを簡単に行える利点がある。本実施形態のような嵌め合わせ方式の場合、嵌合部に接着剤を塗布して固定することも可能である。嵌め合わせと金具とを併用してもよい。
【００２５】
脚板３の上下高さは壁状体２の上下高さの略半分程度に設定しているが、高さの比率は任意に設定している。但し、風の影響を抑制するためには、脚板３は壁状体２の自立に必要なだけの高さに設定するのが好ましい。連結板４は脚板３よりもやや低い高さになっているが、同じ高さに設定したり、連結板４を脚板３より高くしたりすることも可能である。脚板３の下面に、アジャスタボルトやゴム足等の接地体を設けることも可能である。
【００２６】
壁状体２と左右脚板３と連結板４とで囲われた部位は平面視矩形の収納空間９になっており、この収納空間９に木板製の棚１０を配置している。棚１０は平面視略長方形の形態であり、脚板３の内側面に固定した前後長手の支持桟１１に載っている。棚１０は収納空間９にきっちり嵌まっており、従って、棚１０は、壁状体２と脚板３と連結板４とのガタを無くす位置決め機能も発揮している。棚３の各コーナーはカットされている。また。棚３には、雨水が溜まるのを防止するため、抜き穴１２を形成している。
【００２７】
なお、棚３は格子構造と成したり、金網やパンチングメタルを使用したりすることも可能である。図では表示してないが、棚３に水入りペットボトル等の重しを載せることにより、補助装置１は強風でも転倒しない安定状態に保持できる。
【００２８】
補助装置１にはネット１３がセットで使用される。ネット１３は長方形であり、その短辺縁に樹脂パイプ製等の縁フレーム１４を取り付けている（詳細は後述する。）。ゴミが入ったゴミ袋１５は壁状体２の前に置かれて、これらにネット１３を被せることで、カラスや猫によってゴミ袋１５が破られてゴミが散乱する被害を防止できる。壁状体２の裏側は、不使用時のネット１３を配置する収容部になっている。
【００２９】
ネット１３の収容態様としては、縁フレーム１４の長さを左右脚板３の間隔寸法より短くすることで、ネット１３の全体を収容空間９に収納する態様と、縁フレーム１４の長さを左右脚板３の間隔寸法より長くすることで、縁フレーム１４を左右脚板３の上に載せる態様とがある。壁状体２の後面に専用の棚やフックを設けて、このフックにネット１３を載置することも可能であるが、コスト面からは、脚板３や棚１０でネット１３を支持するのが好ましい。縁フレーム１４を脚板３の上面に載せた場合も、ネット１３の一部は収納空間９の内部に垂れ落ちる。
【００３０】
ネット１３は補助装置１から完全に分離できる状態であってもよいし、一方の縁フレーム１４を壁状体２の上部後面等に取り付けておいてもよい。一方の縁フレーム１４を壁状体２の上部後面に取り付けておく場合は、例えば紐で縛ったり、鉤状のフックに載せておくだけでもよい。
【００３１】
(2).表示部
壁状体２のうち左右中間部でかつやや上側の部には、シート状の表示体１７を展示できる表示部１８が設けられている。図４（Ａ）に示すように、表示部１８は前後に開口した窓穴１９とこれを囲う額縁状のフロント枠２０とを有している。フロント枠２０は壁状体２の前面に固定されており、内周縁は窓穴１９の内側に張り出しており、内向き張り出し部２０ａの内面には、窓穴１９に嵌まったアクリル板等の透明保護板２１が固定されている。
【００３２】
表示体１７は、窓穴１９に嵌まったスペーサ板２２で  透明保護板２１に押さえ保持されており、更に、スペーサ板２２は額縁状の裏枠２３で後ろ向き移動不能に保持されている。裏枠２３は壁状体２に対して着脱自在又は開閉自在であり、裏枠２３を取り外すか開くことにより、スペーサ板２２を裏側に取り外して表示体１７を交換できる。スペーサ板２２は、表示体１７の濡れ防止という観点からは、アクリル板のように水が染み込まない材質からなっているのが好ましい。
【００３３】
裏枠２３を着脱方式とする場合は、例えばねじ止めで固定したらよい。開閉式に構成する場合は、水平回動式でもよいし、上向きに跳ね上げ回動式でもよい。いずれにしても、閉じた状態に保持する係止手段（或いはロック手段）を設けるのが好ましい。また、開閉式に構成する場合、開いた状態で脚板３や連結板４に当たらないように配慮せねばならない。
【００３４】
図４（Ｂ）に示す変形例では、スペーサ板２２の保持手段として、上下にスライド自在なシャッター板２４を採用している。シャッター板２４は、壁状体２の後面のうち窓穴１９の左右外側に固定した平面視Ｌ型のガイド体２５で上下スライド自在に保持されている。正確に述べると、シャッター板２４の左右両側部は、ガイド体２５と壁状体２とで構成された蟻溝２６に嵌まっており、これにより、シャッター板２４は上下スライド自在に保持されている。
【００３５】
壁状体２の後面のうち窓穴１９の下面の下方部位には、シャッター板２４の下端部が嵌まり込むストッパー枠２７を固定している。敢えて述べるまでもないが、左右ガイド体２５は上向きに開口しており、従って、シャッター板２４を上に抜き外すことができる。これにより、スペーサ板２２を取り外して表示体１７を交換できる。なお、シャッター板２４に代えて枠材を使用することも可能である。
【００３６】
図２（Ａ）に示すように、壁状体２の前面面のうち表示部１８の左右両側の部位に灯具２８を設けている。灯具２８は標準装備でもよいしオプション品でもよい。灯具２８を設けると、夜でも表示体１７を鑑賞・閲覧できる利点や、街路灯の役割を果たして防犯に貢献できる利点、或いは、補助装置１の存在を知らしめて人が躓くような事故を防止できるといった利点がある。
【００３７】
灯具２８の電源には乾電池も使用できるが、夜間に長時間点灯している必要があるので、ランニングコストを低減するという意味からは太陽電池を採用するのが好ましい。また、消費電力節減のため、ランプはＬＥＤ又は有機ＥＬを使用するのが好ましい。電源に太陽電池を使用する場合、パネルは灯具２８を構成するケースに設けてもよいし、壁状体２や脚板３の表面に設けてもよい。太陽電池を使用する場合は、バッテリーと照度センサとを設けて、暗くなると点灯するように設定することになる。
【００３８】
灯具２８を設ける場合、その位置や形態、個数は特に制限はない。例えば、表示部１７の上方部位に１つだけ配置したり、フロント枠２０に内蔵したりすることも可能である。表示体１７を透明フィルム方式として、保護板２１から光を前に照射するバックライト方式を採用することも可能である。
【００３９】
(3).ネットの構造
次に、主として図５〜７に基づいてネット（ネット装置）１３の構造を説明する。ネット１３は、長方形（四角形）のネット本体３１を備えている。ネット本体３１は従来から知られているものであり、化繊から成る縦横の糸が結束等で一体に連結（保持）されている。
【００４０】
図５（Ｂ）に明示するように、ネット本体３１の外周には筒部３２が形成されており、筒部３２ａに柔軟な太い縁紐３３が通されている。縁紐３３は若干の腰があるため、ネット本体３１の保形性がある程度確保されている。なお、ネット本体３１の外周縁に布を縫着して、筒部３２を布材で構成することもある。
【００４１】
本実施形態のネット１３は既述のとおり縁フレーム１４を有しており、縁フレーム１４はネット本体３１の短辺縁部に取り付けられている。この場合、図５（Ａ）から理解できるように、縁フレーム１４の長さＬは、ネット本体３１の短辺の幅寸法法Ｗよりも遙かに小さい寸法（例えば１／２程度）になっている。
【００４２】
そして、ネット本体３１の短辺縁部を縁フレーム１４に連結しているが、縁フレーム１４は例えば樹脂パイプ（ビニルパイプ）であって剛体構造であるため、ネット１３をゴミ袋１５の山に被せたり、ゴミ袋１５を追加して置くためにネット１３を捲ったり、或いは、収集作業員がゴミ袋１５を収集車に入れるためにネット１３の全体を捲ったりするにおいて、１本の縁フレーム１４を持ち上げて移動操作することで、広い範囲を開閉できる。従って、ネット１３を広げたり、捲ったり、畳んで収納したりする作業を容易に行える。
【００４３】
また、ネット１３を広げた状態では縁フレーム１４が重しの役割を果たすため、ネット１３が風で捲れるような不具合はない。また、ネット１３を収納するに当たっては、小さく纏めた状態に保持できるため、壁状体２の後ろの部位への収容も簡単に行えると共に、見栄えもよい。
【００４４】
更に、本実施形態ではネット本体３１の短辺縁部を縁フレーム１４の５カ所に連結しているが、縁フレーム１４の長さＬがネット本体３１の短辺縁部の幅Ｗより小さいため、ネット本体３１の短辺縁部は窄まった状態になっており、このため、ネット本体３１は膨れた状態になっている。また、ネット本体３１の短辺縁部は、縁フレーム１４に固定された箇所の間で大きく撓んでいる。（つまり、ネット本体３１の短辺縁部に、隣り合った連結部の間で大きく膨れたバッファ部３１ａが形成されている。）。
【００４５】
従って、ネット本体３１は袋状に近い状態（立体的に膨れた状態）になっているのであり、このため、図６に示すように、ネット本体３１の全周の長さは短くしつつ、ゴミ袋１５の山をしっかりと覆うことができる。換言すると、ネット１３の外周をゴミ袋１５の山の外側に大きくはみ出させることなく、ゴミ袋１５の山をしっかり覆うことができる。更に述べると、ネット１３はコンパクトな形態としつつ、多くのゴミ袋１５の山をしっかり覆うことができるのである。
【００４６】
ネット本体３１は５カ所において縁フレーム１４に連結されているが、このうち中央部とその両側との３カ所はネット本体３１の縁紐３３を細紐（金属線材でもよい）３４で縛り固定している一方、ネット本体３１のコーナー部は縁フレーム１４の端から内部に引き込んで、縁紐３３のうちコーナー部３３ａの箇所を縁フレーム１４に開けた穴３５から引出し、これを細紐３４で縁フレーム１４に縛り固定している。
【００４７】
つまり、ネット本体３１の短辺縁部のうちコーナー寄りの端部が縁フレーム１４の内部に引き込まれている。従って、ネット本体３１の短辺縁部は縁フレーム１４の長さよりも短い長さに絞られた状態になっており、かつ、長辺縁部も絞られた状態になっている。このため、ネット本体３１を袋状の立体構造にするにおいて、立体性がより一層高まっている（ネット本体３１は、大きく膨れた状態になっている。）。なお、縁フレーム１４の中央部とのその両側の３カ所にも穴３５を開けており、細紐３４を穴３５に通すことで、縛り位置をずれ不能に保持している。
【００４８】
縁フレーム１４の端部とネット本体３１との間には大きく隙間３６が空いているので、図６（Ｂ）に示すように、ネット１３を、２本の縁フレーム１４が重なる状態に小さく纏めて、ネット本体３１の縁部をフック３７に引っ掛けることもできる。従って、補助装置１を使用しない場合でも、コンパクトに纏めた状態で、壁際や柱などに体裁よく吊支することができる。このことから理解できるように、本実施形態のネット１３は、補助装置１とは関係なく独立して使用できる。
【００４９】
ネット１３は、必須の構成要素として、ネット本体３１と少なくとも１本の縁フレーム１４とを備えておれば足りる、ネット本体３１の縁部を縁フレーム１４に連結（固定するにおいて、ネット本体３１の縁部の連結部の間隔が縁フレーム１４の連結部の間隔より長くなるように設定していたらよい。更に述べると、縁フレーム１４の縁部を縁フレーム１４に飛び飛びの状態で連結することにより、ネット本体３１の縁部に複数の非連結エリアが構成されるにおいて、少なく１つの非連結エリアを大きく膨れたバッファ部３１ａと成したらよい。
【００５０】
本実施形態のネット１３のように長辺縁部も絞る場合は、図７（Ｃ）に示すように、ネット本体３１のコーナー部を窄め状態に細紐３４ａで縛って、この窄めた部分を縁フレーム１４の端部に縛り固定してもよい。但し、コーナー部を実施形態のように縁フレーム１４の内部に引き込むと、窄めた状態をしっかり保持できると共に、見栄えもよい利点がある。
【００５１】
(4).まとめ
以上の説明から理解できるように、本実施形態では、ネット１３は不使用時には小さく纏めた状態で壁状体２の後ろに収納できるため、美感に優れていると共に、歩行者の足がネット１３に引っ掛かるような不具合はない。また、壁状体２の前面を表示部１７に供することができるため、補助装置１を大型化することなく、広い表示面積を確保することができる。
【００５２】
本実施形態のように、左右の脚板３を壁状体２の前後に突出させると、高い安定性を確保できる利点がある。なお、壁状体２の後ろの収納空間９に平面視Ｘ字形の補強材（筋交い）を配置して、補強材の端を収納空間企画コーナー部に突っ張らせることも可能である。この場合は、補強材を棚に兼用させてもよい。
【００５３】
壁状体２に各種表示機能を持たせる場合、例えば、壁状体２を掲示板代わりとして、フロント枠２０を有する表示部１８を設けることに代えて又はこれに加えて、紙片やフィルム、シート類を押しピンや粘着テープ等で壁状体２の前面に固定（保持）することも可能である。或いは、ゴミ収集日などのゴミ関連情報を壁状体２に書き込んだり、ゴミ収集情報が表示されたパネル（シート）を接着やビス止めで壁状体２の前面に固定したりすることも可能である。
【００５４】
(4).第２実施形態
次に、図８，９に示す第２実施形態を説明する。この第２実施形態は、基本的な形態は第１実施形態と同様であり、壁状体２と左右の脚板３と１枚の連結板４とを有している。なお、壁状体２、脚板３、連結板４は木製でもよいが、例えば、発泡ポリエチレンのような樹脂板を使用することが可能である（この点は他の実施形態も同じである。）。樹脂製とすることにより、耐候性を向上できる。
【００５５】
この第２実施形態は、第１実施形態との相違点として、まず、脚板３に前後の上向き開口溝６を形成して、壁状体２と連結板４とに下向き開口溝７を形成している点が挙げられる。この種の補助装置は道路脇に設置されるものであり、連結板４が側溝の上に位置することがあるが、本実施形態のように連結板４を脚板３に上から嵌め込む構成を採用すると、連結板４は脚板３に固定しておかなくても側溝に落下しない利点がある。壁状体２と脚板３と連結板４の下端には、端部のみが地面に接地して安定性を高め得るように凹所２ａ，３ａ，４ａを設けている。
【００５６】
更に、この第２実施形態では、第１実施形態との相違点として、美的表示たる図柄４１をくり抜きによって形成している。また、くり抜き４１は壁状体２の上側の部位に形成しており、くり抜き４１による図柄の下方に、ゴミ収集日の情報やゴミ出しに当たっての注意、警告などが記載されたパネル（ボード、シート）１８ａを配置している。パネル１８ａは頻繁に交換する必要はないので、ビスや釘で固定したり接着剤で接着するなど、簡単には取り外しできない状態に保持しておくのが好ましい。
【００５７】
壁状体２や脚板３には、補助装置の製造メーカーや販売者の名称、或いは商標などの補助的情報を表示することができる。この補助的情報には変更はないので、例えば図８に二点鎖線で示すように、パネル４１′の右側（或いは左側）のエリア２ｂなどに、くり抜き等で形成することが可能である。
【００５８】
この実施形態では、壁状体２の裏側に、パイプ製の補強材４１を配置している。補強材４１は金属製でもよいが、耐候性や加工性の点からは塩ビパイプのような樹脂パイプが好ましい。補強材４１は上下２段ずつ配置しており（１段でもよいし、３段以上の複数段でもよい）、脚板３に線材製のクリップ材４２で取り付けている。
【００５９】
クリップ材４２は一種の割ピンであり、略円形の頭部４２ａと、頭部４２ａに繋がった２本の足部４２ｂとを有しており、足部４２ｂは頭部４２ａに対して略直角に曲がっており、脚板３に設けた取り付け穴３ｂに外側から嵌め込まれている。また、足部４２ｂの先端部は略直角に曲がった鉤状部４２ｃになっており、鉤状部４２ｃが脚板３の内面に当たることで、抜け不能に保持されている。クリップ材４２は補強材４３の上下に配置されており、これにより、落下不能で上向き移動不能に保持されている。補強材４３は、その弾性に抗して脚板４と壁状体２とに突っ張らせるのが好ましい。
【００６０】
なお、ネット１３は補強材４３の上に載せることができる。また、補強材４３はＸ文字状にクロスしているので、ペットボトル等の重しを直接に載せたり、棚板を補強材４３に載せて、この棚板に重しを載せたりすることができる。補強材４３の支持手段としては、ビスやボルト（及びナット）、或いは拡張式ボルトなど、各種のものを使用できる。
【００６１】
(5).他の実施形態
次に、図１０以下に示す他の実施形態を説明する。図１０に示すのは表示部１８の別例であり、このうち図１０（Ａ）に示す第３実施形態は、壁状体２は単なる板状に構成して、額縁状のフロント枠２０を蝶番３８で水平回動自在に連結し、表示体１７は壁状体２と透明保護板２１との間に介在させている。
【００６２】
図１０（Ｂ）に示す第４実施形態でも表示部１８はフロント枠２０を有するが、この実施形態では、フロント枠２０はベース板３９に蝶番３８で水平回動自在に連結されており、ベース板３９は壁状体２にビス止め等で固定されている。この場合は、表示部１８をオプション品にすることができる。図１０の場合、（Ａ）（Ｂ）とも、フロント枠２０は係止手段（図示せず）で閉じた状態に保持されている。また、（Ａ）（Ｂ）とも、フロント枠２０は上向きに跳ね上げ回動自在な構成とすることが可能である。
【００６３】
図１１に示す第５実施形態では、表示部１８は、第２実施形態と同様に壁状体２そのものにくり抜きと彫り込みで形成されている。すなわち、正面視四角形のエリアを表示部１８として、背景になるくり抜き穴４０を設けることで図柄４０ａを形成すると共に、くり抜き穴４０に連通した囲い溝４０ｂを形成することで、表示部１８のエリアを画定している。敢えて述べる必要はないが、図柄４０ａに彩色することも可能である。
【００６４】
図１２に示す第６実施形態は補助装置１の基本構造の別例であり、この実施形態では、左右の脚板３は壁状体２の後ろに配置されており、左右の脚板３は、壁状体２の後面に固定したブラケット板４３の内面に、平面視で内向きに倒れ回動するように蝶番３８で連結されており、開いた状態の左右脚板３の後部には、連結板４が上から嵌め込み装着されている。
【００６５】
従って、この実施形態では、脚板３に設けた上向き嵌合溝と連結板４に設けた下向き嵌合溝とが嵌まり合っている。壁状体２と脚板３と連結板４とで囲われた収納空間９には棚１０がずれ不能に配置されている（図では棚の周囲に隙間を表示しているが、実際には、隙間は殆どない。この実施形態では、組み立てを簡単に行える。
【００６６】
図１３に示す第７実施形態は、壁状体２とその下端に回動可能に連結した平坦状の脚板３とを有しており、壁状体２と脚板３とに左右一対の連結棒４５を連結することにより、壁状体２と脚板３との相対姿勢を保持している。壁状体２と脚板３とは金網からなっている。連結棒４５を伸縮式又は屈曲式とすることで、組み立てをワンタッチ的に行えるようにすることも可能である。この実施形態では、脚板３は棚を兼用しており、重しは脚板３の上面に載せられる。また、ネットは脚板３の上に載せられるか、重しの上に載せられる。
【００６７】
この実施形態では、表示部１８は、壁状体２を構成する横長線材４６への吊り懸け方式になっている。すなわち、表示部１８はベース板４７を備えており、その前面に表示体１７を取り付け等できるようになっている一方、ベース板４７の裏面に、横長線材４６を抱持するクリップ式のハンガー４８が取り付けられている。従って、表示部１８は壁状体２に対して着脱自在である。ハンガー４８は、板ばねのような金属板製とするのが好ましい。表示部１８は、紐や針金で壁状体２に縛り固定することも可能である。
【００６８】
図１４に示す第８実施形態では、壁状体２と脚板３とは木材を使用した枠組み構造になっている。すなわち、まず壁状体２について述べると、壁状体２は、上下枠材４９，５０と左右枠５１とで四角形の外枠が構成されていると共に、上下枠材４９，５０に多数本の中間縦枠５２を差し込み装着している。脚板３も同様であり、前後枠５３，５４と左右枠５５とで外枠が構成されていると共に、前後枠５３，５４に多数本の中間枠５６が嵌め込み装着されている。
【００６９】
壁状体２と脚板３とは蝶番３８で折り重ね可能に連結されており、広げた状態は、左右枠５１，５５に固定されたサイドブラケット５７によって保持されている。この実施形態では、各枠材に間伐材を使用することが可能である。
【００７０】
図１５ではネット１３の別例を示している。すなわちこのネット１３は、ネット本体３１の短辺縁部は１本の縁フレーム１４に連結し、長辺縁部は２本ずつの縁フレーム１４に連結している。このネット１３は、６本の縁フレーム１４を束ねることでネット１３をコンパクトに纏めることができるため、非常に扱いやすい。また、長辺縁部は屈曲するため、ネット１３を捲ることも簡単に行える。
【００７１】
(5).その他
本願発明は、上記の実施形態の他にも様々に具体化できる。例えば壁状体や脚板等の素材や形態は実施形態には限定されず、他の態様を採用可能である。例えば、形状について述べると、壁状体は正面視で台形や半円状などに形成することが可能である。壁状体と脚板とが側面視で逆Ｖ形に連結された構成を採用することも可能である。素材について述べると、例えば壁状体及び脚板並びに連結材とも、木板や樹脂板に代えてパンチングメタルなどの金属板も採用可能である。金属製のフレームに木製体を張った構造も採用可能である。
【００７２】
表示部として市販されている額縁を使用し、これを壁状体にビス止めしたり紐で縛りつけたりすることも可能である。また、表示部を壁状体に予め形成する場合、壁状体の板厚の中に納めて、出っ張りが殆ど又は全く無い構造にすることも可能である。
【００７３】
ネットについて述べると、ネット本体は必ずしも平面視四角形である必要はなく、円形や小判形なども採用可能である。縁フレームはある程度の腰があったら足りるのであり、従って、可撓性のあるチューブ、金属線材、木製棒、竹なども採用可能である。
【産業上の利用可能性】
【００７４】
本願発明は、ゴミ集積場用補助装置に実際に適用できる。従って、産業上利用できる。
【符号の説明】
【００７５】
１  補助装置
２  壁状体
３  脚板
４  連結板
９  収納空間
１０  棚
１３  ネット
１４  縁フレーム
１７  表示体
１８  表示部
１９  窓穴
２０  フロント枠
２１  透明保護板
２２  スペーサ板
２８  灯具
３１  ネット本体
【図１】
2013224194.tif 000003
【図２】
2013224194.tif 000004
【図３】
2013224194.tif 000005
【図４】
2013224194.tif 000006
【図５】
2013224194.tif 000007
【図６】
2013224194.tif 000008
【図７】
2013224194.tif 000009
【図８】
2013224194.tif 000010
【図９】
2013224194.tif 000011
【図１０】
2013224194.tif 000012
【図１１】
2013224194.tif 000013
【図１２】
2013224194.tif 000014
【図１３】
2013224194.tif 000015
【図１４】
2013224194.tif 000016
【図１５】
2013224194.tif 000017